【手続補正書】
【提出日】平成18年6月8日(2006.6.8)
【手続補正１】
【補正対象書類名】明細書
【補正対象項目名】発明の名称
【補正方法】変更
【補正の内容】
【発明の名称】画像入出力装置及び該画像入出力装置の出力制御方法
【手続補正２】
【補正対象書類名】明細書
【補正対象項目名】特許請求の範囲
【補正方法】変更
【補正の内容】
【特許請求の範囲】
【請求項１】  他の画像入出力装置と通信可能な画像入出力装置において、
画像データを入力する画像入力手段と、
前記他の画像入出力装置が有する用紙のサイズに関する情報を前記他の画像入出力装置から取得する取得手段と、
前記取得手段により取得した情報に基づいて、前記他の画像入出力装置と自装置とが共通に有する用紙サイズの情報を表示する表示手段と、
前記表示手段により表示された情報に基づき、前記入力手段によって入力された画像データを出力するための出力用紙のサイズを選択する用紙サイズ選択手段と、
を有し、
前記画像入出力装置と前記他の画像入出力装置は、前記入力手段によって入力された画像データを、前記選択手段で選択されたサイズの用紙に出力することを特徴とする画像入出力装置。
【請求項２】  自装置を含む、画像データを出力可能な入出力装置の一覧を表示する第２の表示手段と、
前記第２の表示手段により表示された入出力装置の中から画像データを出力する複数の入出力装置を選択する選択手段と、
前記第２の表示手段による表示の指示及び前記表示手段による表示の指示を含む各種表示指示や、各種出力条件の選択情報を操作入力する操作入力手段とを更に有することを特徴とする請求項１記載の画像入出力装置。
【請求項３】  前記操作入力手段はタッチパネルであることを特徴とする請求項２記載の画像入出力装置。
【請求項４】  前記用紙サイズ選択手段は出力用紙の選択を自動的に行うことを特徴とする請求項１乃至請求項３のいずれかに記載の画像入出力装置。
【請求項５】  他の画像入出力装置から送信された画像データを画像出力する画像入出力装置において、
画像データのデータサイズを算出する算出手段と、
前記算出手段の算出結果に基づいて出力用紙のサイズを設定する設定手段と、
前記他の画像入出力装置から、前記他の画像出力装置で入力された画像データを前記画像入出力装置と前記他の画像入出力装置の両方を用いて画像出力する要求を受信したか否かを判断する判断手段と、
前記判断手段において前記要求を受信したと判断した場合には、前記設定手段における設定を無効にする制御手段と、
を有することを特徴とする画像入出力装置。
【請求項６】  前記制御手段により前記設定手段による設定が無効とされた場合、前記他の画像入出力装置で設定されている出力用紙のサイズと同一のサイズを出力用紙として選択することを特徴とする請求項５記載の画像入出力装置。
【請求項７】  出力可能な用紙サイズを一覧表示する表示手段を有し、前記設定手段は、前記表示手段により一覧表示された用紙サイズの中から出力用紙のサイズを選択して設定することを特徴とする請求項５又は請求項６記載の画像入出力装置。
【請求項８】  他の画像入出力装置と通信可能な画像入出力装置であって、
画像データを入力する入力手段と、
前記他の画像入出力装置と自装置とが共通に有する用紙サイズの情報を表示する表示手段と、
前記表示手段によって表示された情報に基づいて、前記入力手段で入力された画像データを出力する出力用紙のサイズを選択する選択手段と、
前記選択手段によって選択されたサイズの用紙に、自装置と前記他の画像入出力装置の両方を用いて、前記入力手段によって入力された画像データを出力するように制御する制御手段と、
前記他の画像入出力装置における出力用紙のサイズの選択を無効にするための制御情報を前記他の画像入出力装置に送信する送信手段と、
を有することを特徴とする画像入出力装置。
【請求項９】  他の画像入出力装置と通信可能な画像入出力装置の出力制御方法において、
画像データを入力する画像入力ステップと、
前記他の画像入出力装置が有する用紙のサイズに関する情報を前記他の画像入出力装置から取得する取得ステップと、
前記取得ステップで取得した情報に基づいて、前記他の画像入出力装置と自装置とが共通に有する用紙サイズの情報を表示する表示ステップと、
前記表示ステップで表示された情報に基づき、前記入力ステップで入力された画像データを出力するための出力用紙のサイズを選択する用紙サイズ選択ステップと、
を有し、
前記画像入出力装置と前記他の画像入出力装置は、前記入力ステップによって入力された画像データを、前記選択ステップで選択されたサイズの用紙に出力することを特徴とする画像入出力装置の出力制御方法。
【請求項１０】  自装置を含む、画像データを出力可能な入出力装置の一覧を表示する第２の表示ステップと、
前記第２の表示ステップで表示された入出力装置の中から画像データを出力する複数の入出力装置を選択する選択ステップと、
前記第２の表示ステップにおける表示の指示及び前記表示ステップにおける表示の指示を含む各種表示指示や、各種出力条件の選択情報を操作入力する操作入力ステップとを更に有することを特徴とする請求項９記載の画像入出力装置の出力制御方法。
【請求項１１】  前記操作入力ステップにおける操作入力はタッチパネルを介して行われることを特徴とする請求項１０記載の画像入出力装置の出力制御方法。
【請求項１２】  前記用紙サイズ選択ステップは出力用紙の選択を自動的に行うことを特徴とする請求項９乃至請求項１１のいずれかに記載の画像入出力装置の出力制御方法。
【請求項１３】  他の画像入出力装置から送信された画像データを画像出力する画像入出力装置の出力制御方法において、
画像データのデータサイズを算出する算出ステップと、
前記算出ステップの算出結果に基づいて出力用紙のサイズを設定する設定ステップと、
前記他の画像入出力装置から、前記他の画像出力装置で入力された画像データを前記画像入出力装置と前記他の画像入出力装置の両方を用いて画像出力する要求を受信したか否かを判断する判断ステップと、
前記判断ステップにおいて前記要求を受信したと判断した場合には、前記設定ステップにおける設定を無効にする制御ステップと、
を有することを特徴とする画像入出力装置の出力制御方法。
【請求項１４】  前記制御ステップにより前記設定ステップによる設定が無効とされた場合、前記他の画像入出力装置で設定されている出力用紙のサイズと同一のサイズを出力用紙として選択することを特徴とする請求項１３記載の画像入出力装置の出力制御方法。
【請求項１５】  出力可能な用紙サイズを一覧表示する表示ステップを有し、前記設定ステップは、前記表示ステップで一覧表示された用紙サイズの中から出力用紙のサイズを選択して設定することを特徴とする請求項１３又は請求項１４記載の画像入出力装置の出力制御方法。
【請求項１６】  他の画像入出力装置と通信可能な画像入出力装置の出力制御方法において、
画像データを入力する入力ステップと、
前記他の画像入出力装置と自装置とが共通に有する用紙サイズの情報を表示する表示ステップと、
前記表示ステップで表示された情報に基づいて、前記入力ステップで入力された画像データを出力する出力用紙のサイズを選択する選択ステップと、
前記選択ステップで選択されたサイズの用紙に、自装置と前記他の画像入出力装置の両方を用いて、前記入力ステップで入力された画像データを出力するように制御する制御ステップと、
前記他の画像入出力装置における出力用紙のサイズの選択を無効にするための制御情報を前記他の画像入出力装置に送信する送信ステップと、
を有することを特徴とする画像入出力装置の出力制御方法。
【手続補正３】
【補正対象書類名】明細書
【補正対象項目名】０００１
【補正方法】変更
【補正の内容】
【０００１】
【発明の属する技術分野】
本発明は、画像入出力装置及び該画像入出力装置の出力制御方法に関し、より詳しくはネットワーク等の伝送媒体を介して接続された少なくとも１台以上の画像入出力装置に対しその画像出力を制御する画像入出力装置及び該画像入出力装置の制御方法に関する。
【手続補正４】
【補正対象書類名】明細書
【補正対象項目名】０００６
【補正方法】変更
【補正の内容】
【０００６】
本発明はこのような事情に鑑みなされたものであって、出力デバイスと自機とで出力可能な共通記録用紙を一覧表示することにより、重連コピー設定を容易に行い、操作性を向上させることのできる画像入出力装置及び該画像入出力装置の出力制御方法を提供することを目的とする。
【手続補正５】
【補正対象書類名】明細書
【補正対象項目名】０００７
【補正方法】変更
【補正の内容】
【０００７】
【課題を解決するための手段】
上記目的を達成するために本発明の請求項１に係る画像入出力装置は、他の画像入出力装置と通信可能な画像入出力装置において、画像データを入力する画像入力手段と、前記他の画像入出力装置が有する用紙のサイズに関する情報を前記他の画像入出力装置から取得する取得手段と、前記取得手段により取得した情報に基づいて、前記他の画像入出力装置と自装置とが共通に有する用紙サイズの情報を表示する表示手段と、前記表示手段により表示された情報に基づき、前記入力手段によって入力された画像データを出力するための出力用紙のサイズを選択する用紙サイズ選択手段とを有し、前記画像入出力装置と前記他の画像入出力装置は、前記入力手段によって入力された画像データを、前記選択手段で選択されたサイズの用紙に出力することを特徴とする。
本発明の請求項５に係る画像入出力装置は、他の画像入出力装置から送信された画像データを画像出力する画像入出力装置において、画像データのデータサイズを算出する算出手段と、前記算出手段の算出結果に基づいて出力用紙のサイズを設定する設定手段と、前記他の画像入出力装置から、前記他の画像出力装置で入力された画像データを前記画像入出力装置と前記他の画像入出力装置の両方を用いて画像出力する要求を受信したか否かを判断する判断手段と、前記判断手段において前記要求を受信したと判断した場合には、前記設定手段における設定を無効にする制御手段とを有することを特徴とする。
本発明の請求項８に係る画像入出力装置は、他の画像入出力装置と通信可能な画像入出力装置であって、画像データを入力する入力手段と、前記他の画像入出力装置と自装置とが共通に有する用紙サイズの情報を表示する表示手段と、前記表示手段によって表示された情報に基づいて、前記入力手段で入力された画像データを出力する出力用紙のサイズを選択する選択手段と、前記選択手段によって選択されたサイズの用紙に、自装置と前記他の画像入出力装置の両方を用いて、前記入力手段によって入力された画像データを出力するように制御する制御手段と、前記他の画像入出力装置における出力用紙のサイズの選択を無効にするための制御情報を前記他の画像入出力装置に送信する送信手段とを有することを特徴とする。
【手続補正６】
【補正対象書類名】明細書
【補正対象項目名】０００８
【補正方法】変更
【補正の内容】
【０００８】
上記目的を達成するために本発明の請求項９に係る画像入出力装置の出力制御方法は、他の画像入出力装置と通信可能な画像入出力装置の出力制御方法において、画像データを入力する画像入力ステップと、前記他の画像入出力装置が有する用紙のサイズに関する情報を前記他の画像入出力装置から取得する取得ステップと、前記取得ステップで取得した情報に基づいて、前記他の画像入出力装置と自装置とが共通に有する用紙サイズの情報を表示する表示ステップと、前記表示ステップで表示された情報に基づき、前記入力ステップで入力された画像データを出力するための出力用紙のサイズを選択する用紙サイズ選択ステップとを有し、前記画像入出力装置と前記他の画像入出力装置は、前記入力ステップによって入力された画像データを、前記選択ステップで選択されたサイズの用紙に出力することを特徴とする。
本発明の請求項１３に係る画像入出力装置の出力制御方法は、他の画像入出力装置から送信された画像データを画像出力する画像入出力装置の出力制御方法において、画像データのデータサイズを算出する算出ステップと、前記算出ステップの算出結果に基づいて出力用紙のサイズを設定する設定ステップと、前記他の画像入出力装置から、前記他の画像出力装置で入力された画像データを前記画像入出力装置と前記他の画像入出力装置の両方を用いて画像出力する要求を受信したか否かを判断する判断ステップと、前記判断ステップにおいて前記要求を受信したと判断した場合には、前記設定ステップにおける設定を無効にする制御ステップとを有することを特徴とする。
本発明の請求項１６に係る画像入出力装置の出力制御方法は、他の画像入出力装置と通信可能な画像入出力装置の出力制御方法において、画像データを入力する入力ステップと、前記他の画像入出力装置と自装置とが共通に有する用紙サイズの情報を表示する表示ステップと、前記表示ステップで表示された情報に基づいて、前記入力ステップで入力された画像データを出力する出力用紙のサイズを選択する選択ステップと、前記選択ステップで選択されたサイズの用紙に、自装置と前記他の画像入出力装置の両方を用いて、前記入力ステップで入力された画像データを出力するように制御する制御ステップと、前記他の画像入出力装置における出力用紙のサイズの選択を無効にするための制御情報を前記他の画像入出力装置に送信する送信ステップとを有することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】符号の説明
【補正方法】変更
【補正の内容】
【符号の説明】
１ａ  ローカルプリンタ
１ｂ  リモートプリンタ
１ｃ  リモートプリンタ
２    ＬＡＮ
３    スキャナ部
５    操作部
２２  用紙選択キー
２８  出力デバイス選択キー